(57)【特許請求の範囲】
【請求項１】
冷蔵室を備え、食材を収納するための容器が前記冷蔵室の内部に設けられている冷蔵庫であって、前記容器は、前記容器の少なくとも一方の側面にレール部材が設けられ、かつ、前記レール部材が前記容器に隣接するガイド部材の摺動面に載置されることで摺動可能であり、前記ガイド部材には、第１の溝部と、上向きの第１の凸部とが設けられ、前記レール部材には、前記第１の凸部が嵌合する第２の溝部と、前記第１の溝部に嵌合する下向きの第２の凸部とが設けられ、前記第１の凸部は、第１の溝部の端部のうち前記冷蔵庫の前方側の端部に設けられ、前記第２の凸部は、第２の溝部の端部のうち前記冷蔵庫の後方側の端部に設けられていることを特徴とする冷蔵庫。
【請求項２】
前記ガイド部材にローラーが設けられ、前記ローラーは、前記第１の凸部よりも前記冷蔵庫の前方側に設けられていることを特徴とする請求項１に記載の冷蔵庫。
【請求項３】
前記レール部材に樹脂で形成された滑動体が設けられ、前記滑動体は、前記第２の凸部よりも前記冷蔵庫の後方側に設けられていることを特徴とする請求項１又は２に記載の冷蔵庫。
【請求項４】
前記冷蔵庫の内部に貯蔵室が設けられていて、前記容器が摺動することで、前記貯蔵室の内部に前記容器が出し入れされることを特徴とする請求項１から３のいずれか１項に記載の冷蔵庫。
【請求項５】
前記貯蔵室は、前記冷蔵室の下部に設けられていることを特徴とする請求項４に記載の冷蔵庫。
【請求項６】
前記貯蔵室は、チルド室であることを特徴とする請求項４又は５に記載の冷蔵庫。
【請求項７】
前記貯蔵室は、パーシャル室であることを特徴とする請求項４又は５に記載の冷蔵庫。
【請求項８】
前記貯蔵室は、チルド室又はパーシャル室に切り替え可能であることを特徴とする請求項４又は５に記載の冷蔵庫。
【発明の詳細な説明】
【技術分野】
【０００１】
本発明は冷蔵庫に関し、低温貯蔵室等から容器を出し入れする部分の構成に関するものである。
【背景技術】
【０００２】
一般に家庭用冷蔵庫は、冷蔵室、野菜室、冷凍室等を備え、更に前記冷蔵室内には当該冷蔵室よりも低温に冷却されるチルド室またはこれらに切り替え可能な第三温度帯室等の低温貯蔵室を設けたものが見られる。
【０００３】
そして、上記低温貯蔵室には出し入れ自在な容器が設けてあり、当該容器の出し入れによって前記低温貯蔵室のドアを開閉するようになっている（例えば、特許文献１参照）。
【０００４】
図１２は特許文献１記載の冷蔵庫を示し、この冷蔵庫は冷蔵室１０１の下部に低温貯蔵室１０２を設け、この低温貯蔵室１０２はその上面を冷蔵室１０１の最下段に位置する棚板としても利用する棚板部材１０３で覆って構成してある。
【０００５】
上記低温貯蔵室１０２にはその内部に引出自在な容器１０４が設けてあり、その容器１０４は低温貯蔵室１０２の底面もしくは両側部に設けたガイド部材により摺動自在に支持して、出し入れ自在としてある。
【先行技術文献】
【特許文献】
【０００６】
【特許文献１】特開２０１３−８３３６５号公報
【発明の概要】
【発明が解決しようとする課題】
【０００７】
上記特許文献１に記載されている低温貯蔵室１０２は容器１０４を出し入れすることによって食費の収納や取り出しが容易にでき、使い勝手が良い、という利点がある。
【０００８】
しかしながら、上記低温貯蔵室１０２に設けられている容器１０４はその支持部分が面接触だけの簡単なものであり、容器出し入れ時に容器１０４が左右にガタつきやすいものであった。
【０００９】
そのため、例えば容器１０４を押し込む際、容器１０４の前面の片側を押す、すなわち片押しすると、容器１０４が左右方向に傾いてその後部コーナ部等が貯蔵室側壁部等に当接し、容器１０４の押しこみが重くなるばかりか、容器１０４の傾斜を修正して再度容器前面の特に略中央部を押しこみ直さなければならなくなる。また、容器１０４を引き出す時も同様であり、容器１０２の出し入れ性が悪く、使い勝手が今一歩という面があった。
【００１０】
本発明はこのような点に鑑みてなしたもので、容器の出し入れ性を改善して使い勝手を向上させた冷蔵庫の提供を目的としたものである。
【課題を解決するための手段】
【００１１】
本発明は、冷蔵室を備え、食材を収納するための容器が前記冷蔵室の内部に設けられている冷蔵庫であって、前記容器は、前記容器の少なくとも一方の側面にレール部材が設けられ、かつ、前記レール部材が前記容器に隣接するガイド部材の摺動面に載置されることで摺動可能であり、前記ガイド部材には、第１の溝部と、上向きの第１の凸部とが設けられ、前記レール部材には、前記第１の凸部が嵌合する第２の溝部と、前記第１の溝部に嵌合する下向きの第２の凸部とが設けられ、前記第１の凸部は、第１の溝部の端部のうち前記冷蔵庫の前方側の端部に設けられ、前記第２の凸部は、第２の溝部の端部のうち前記冷蔵庫の後方側の端部に設けられていることを特徴とする。
【発明の効果】
【００１３】
本発明は、上記構成により、容器の出し入れ性が向上し、使い勝手の良い冷蔵庫を提供することができる。
【図面の簡単な説明】
【００１４】
【図１】本発明の実施の形態１における冷蔵庫の正面図
【図２】同冷蔵庫の縦断面図
【図３】同冷蔵庫の低温貯蔵室を示す断面図
【図４】同冷蔵庫の低温貯蔵室を示す正面図
【図５】同冷蔵庫の低温貯蔵室を示す斜視図
【図６】同冷蔵庫の低温貯蔵室の分解斜視図
【図７】同冷蔵庫の低温貯蔵室を形成する仕切板の斜視図
【図８】同冷蔵庫の低温貯蔵室における容器支持構成を示す断面図
【図９】同冷蔵庫における図８のＡ−Ａ断面図
【図１０】同冷蔵庫における図８のＢ−Ｂ断面図
【図１１】同冷蔵庫における容器の出し入れ動作を説明する図で、（ａ）は容器収納状態の説明図、（ｂ）は同容器引出し途中を示す説明図
【図１２】従来の冷蔵庫を示す断面図
【発明を実施するための形態】
【００１５】
第１の発明は、冷蔵庫本体と、前記冷蔵庫本体に設けた冷蔵室と、前記冷蔵室の下部に区画形成した貯蔵室と、前記貯蔵室に設けたガイド部材と、前記ガイド部材に支持させて前記貯蔵室内に出し入れ自在に設けた容器と、前記容器出し入れ時に生じる左右方向への容器ガタつきを防止するガタツキ規制部とを備えた構成としてある。
【００１６】
これにより、容器出し入れ時に容器がガタついてその一部が貯蔵室側壁等に当接するほど左右に傾くのを防止することができる。したがって、容器前面の片側を押し込み引出したような場合でも軽く容器を摺動させることができ、使い勝手が向上する。
【００１７】
第２の発明は、第１の発明において、前記ガタツキ規制部は容器両側部のいずれか一方側のみに設けた構成としてある。
【００１８】
これにより、ガタツキ規制部を両側部に設ける場合に比べ構成を簡素化できるとともに、ガタツキ規制部を設けていない側の容器の側面と貯蔵室側壁面との間の隙間も確保して、容器摺動の安定性を向上させることができる。
【００１９】
第３の発明は、第１または第２の発明において、前記ガタツキ規制部はガイド部材と容器とが摺動する部分に設けた凹部と凸部との組み合わせで構成してある。
【００２０】
これにより、ガイド部材による容器の摺動案内構成を利用して容器のガタツキ規制も行うことができ、構成のさらなる簡素化が実現できる。
【００２１】
第４の発明は、第１〜第３の発明において、前記ガタツキ規制部は容器摺動範囲の前後二箇所に設けた構成としてある。
【００２２】
これにより、容器の引出し長さ（摺動距離）をアップすることができるとともに、容器出し入れをより軽いものとすることができる。すなわち、ガタツキ規制部は容器摺動範囲
の略中央一箇所にだけ設けることも考えられるが、この場合、容器はガタツキ規制部を設けた容器摺動範囲の略中央部分までしか引き出すことができなくなる。しかしながら、容器摺動範囲の前後二箇所にガタツキ規制部を設けておけば、後部に設けたガタツキ規制部が容器摺動範囲の前端最終位置に来るまで容器を引き出すことが可能となり、容器の引出し長さ（摺動距離）をアップさせることができるのである。しかも容器を前端最終位置まで引出した状態における容器のガタつきを確実に防止することもできる。また、ガタツキ規制部が容器摺動範囲の略中央一箇所の場合、その部分を支点にして容器が左右に傾きやすくなり、ガタツキ規制部に加わる摩擦力が大きくなって大きな出し入れ操作力が必要となるが、前後二箇所にガタツキ規制部を設けておけば、この前後二箇所のガタツキ規制部で容器の傾きを防止するので容器傾きに伴い発生する摩擦力を軽減でき、容器の出し入れが軽く行えるようになるのである。
【００２３】
第５の発明は、第１〜第４の発明において、前記ガタツキ規制部は凹部溝とこれに嵌り込む凸部との組み合わせで構成し、この凹部溝と凸部を前記ガイド部材及び容器の摺動面それぞれに形成するとともに、ガイド部材及び容器に設けた凸部のいずれか一方は前部に、他方は後部に位置させて設け、前記前後二箇所の凸部と凹部溝との嵌合組み合わせを前後で反対向きにした構成としてある。
【００２４】
これにより、第４の発明と同様、ガタツキ規制部を容器摺動方向の略中央部分に設けた場合のものに比べ容器の引出し長さ（摺動距離）をアップすることができるとともに、容器を傾斜させようとする力に抗してガタツキ規制部に加わる摩擦力を低減させることができ、容器の出し入れをより軽く行えるようになる上に、次のような効果も得られる。すなわち、ガタツキ規制部は摺動面の前後二箇所で凹部溝と凸部との嵌合組み合わせを反対向きにしているので、容器の摺動幅全域において凹凸の嵌り合いが維持され続けてガタツキ規制が行われることになる。したがって、容器２５の摺動動作が安定し、容器動作が不安定なものとなって発生する摩擦力を軽減でき、容器の出し入れが摺動範囲全域においてより軽く行えるようになる。
【００２５】
第６発明は、第１〜第５発明において、前記ガイド部材と容器との摺動部分にローラーまたは滑動体を設け、前記ローラーまたは滑動体によって前記容器を出し入れ自在に支持した構成としてある。
【００２６】
これにより、容器とガイド部材との面接触による摺動に比べ容器出し入れ時の摺動抵抗を大幅に低減でき、より軽く容器の出し入れができるようになる。
【００２７】
以下、本発明の実施の形態について、図面を参照しながら説明する。尚、この実施の形態によって本発明が限定されるものではない。
【００２８】
（実施の形態１）
図１〜図１１は本発明の実施の形態１を示すもので、まず、冷蔵庫全体の構成について図１、図２を用い説明する。
【００２９】
図１、図２において、本実施の形態に係る冷蔵庫は、前方を開口した冷蔵庫本体１を備え、この冷蔵庫本体１は、図２に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。
【００３０】
冷蔵庫本体１は、仕切板５、６、６ａによって複数の貯蔵室に区分されており、冷蔵庫本体１の最上部は冷蔵室７、冷蔵室７の下方は切替室８ａ及びこれに並設した製氷室８ｂ、さらにその下方は冷凍室９、さらに最下部は野菜室１０となっている。そして前記各貯
蔵室の前面開口部は、扉１１ａ、１１ｂ、１１ｃ、１１ｄ、１１ｅによって開閉可能に閉塞されている。
【００３１】
前記冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３２】
また、冷蔵庫本体１の背面には冷気を生成する冷却室１６と、冷却室１６からの冷気を前記冷蔵室７、冷凍室９、野菜室１０等に供給循環させる冷気通路１７が設けられている。
【００３３】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、冷凍室９、野菜室１０等に強制循環させて各室を冷却するものである。
【００３４】
前記冷却室１６からの冷気によって冷却される冷蔵室７には食材を載置する複数の棚板２１が設けてあり、かつ、側壁前部には照明装置（図示せず）が設置してあって扉１１ａを開くと点灯し冷蔵室７内を照射するようになっている。
【００３５】
また、上記冷蔵室７にはその下部に低温貯蔵室２３が形成してある。この低温貯蔵室２３は棚板部材２４を構成する断熱材中に設けた冷気ダクト部（図示せず）を介して冷蔵庫本体１背面の冷気通路１７から冷気が供給され、所定温度に冷却されるようになっている。
【００３６】
例えば約１℃の温度帯に冷却されるチルド室あるいは約−３℃の微凍結温度帯まで冷却されるパーシャル室に切り替え可能な低温貯蔵室となっている。なお、低温貯蔵室２３はチルド室或いはパーシャル室に切り替え可能なものでなく、チルド室或いはパーシャル室として専用設計されたものであってもよいものである。
【００３７】
上記低温貯蔵室２３は、図３〜図６に示すように、その上面を冷蔵室７の最下段に位置する棚板としても利用する棚板部材２４及び側面の給水タンク設置室２２との間を仕切る仕切板２２ａ（図４参照）とで区画形成してある。そして内部には引出自在な容器２５が設けてあって、その前方は前記容器２５の引出によって棚板部材２４の前端部を中心に回動して開くドア２６によって閉蓋してある。
【００３８】
なお、上記ドア２６はドア内面両側部に設けた突片部２７の突起２８が容器外側面に設けた傾斜状突片２９に当接しながら摺動することによって開閉する。
【００３９】
次に、上記容器２５の出し入れ構成について、図６〜図１１を用いて説明する。
【００４０】
容器２５は図６に示すように前記低温貯蔵室２３の両側底部に設けたガイド部材３０，３１によって摺動自在に支持してある。
【００４１】
上記ガイド部材３０，３１のうち、一方のガイド部材３０は低温貯蔵室２３の一側底部に固定して構成してあり、他方のガイド部材３１は低温貯蔵室２３と給水タンク設置室２２とを仕切る仕切板２２ａの貯蔵室面側下部に一体形成して構成してある。
【００４２】
また上記ガイド部材３０，３１は何れもその上面を摺動面３２とし、そのそれぞれの前端部分にはローラー３３が設けてあり、後端部には後方にいくほど低くなる傾斜引き込み
部３６が形成してある。
【００４３】
前記ガイド部材３０，３１はそのいずれか一方、この実施の形態では仕切板２２ａ側のガイド部材３１の摺動面３２には、図７に示すように、前後方向に凹部溝３４が形成してあり、さらにその凹部溝３４の前方側に上向きの凸部３５が形成してある。
【００４４】
一方前記容器２５には図８〜図１０、特に図９、図１０に示すようにその両側下部にレール部材３７が設けてあり、このレール部材３７を前記ガイド部材３０，３１の摺動面３２（図６、図８参照）に載置して摺動自在に支持してある。
【００４５】
また、前記片方のレール部材３７（図９、図１０に示す左側のレール部材３７）の下面で構成する摺動面３８（図８参照）には、前記ガイド部材３１側の凸部３５（以下、ガイド側凸部と称す）と凹部溝３４（以下、ガイド側凹部溝と称す）とに対応する下向き開口の凹部溝３９（以下、容器側凹部溝と称す）とその後方部に下向きの凸部４０（以下、容器側凸部と称す）とが設けてある。
【００４６】
上記ガイド部材３１に設けたガイド側凸部３５とガイド側凹部溝３４及び容器２５に設けた容器側凹部溝３９と容器側凸部４０は、互いに嵌合組み合わされていて、前後に摺動させる容器２５のガタツキを防止するガタツキ規制部４１を構成している。
【００４７】
なお、上記容器２５のレール部材３７の後端部には図８に示すようにジュラコン等のすべり性の良い樹脂で形成した滑動体４２が組み込んであり、この実施の形態では当該滑動体４２と前記ローラー３３とで容器２５を支持する形となっており、容器２５側の摺動面３８とガイド部材３１側の摺動面３２とは接触するかしないか程度に構成してあって若干の隙間を有する形としてある。
【００４８】
以上のように構成された冷蔵庫について、次にその作用効果を説明する。
【００４９】
まず、この冷蔵庫の低温貯蔵室は、冷蔵庫本体１の冷気通路１７から供給される冷気が棚板部材２４の冷気ダクト部を介して供給され、低温貯蔵室２３内の容器２５に収納している肉や魚等の食材を所定温度に冷却保存している。そして、上記低温貯蔵室２３に肉や魚等の食材を出し入れするときには、容器２５を低温貯蔵室２３から出し入れして行う。
【００５０】
上記容器２５の出し入れは、これを引出す時は容器２５の前面に設けた把手２５ａに指をかけて手前側に引出し、挿入するときは前記把手２５ａを指で押し込む。
【００５１】
この時、上記容器２５はその容器側凸部４０がガイド部材３１のガイド側凹部溝３４に、また容器側凹部溝３９がガイド側凸部３５に嵌合しているから、容器２５を出し入れする際、容器２５前面に設けた把手２５ａの片側を引っ張ったり押したりしても、容器２５は前記各凹凸の嵌り合いにより容器２５の一部が貯蔵室側壁部等に当接するほど左右にガタついたり傾いたりすることがなくなる。
【００５２】
したがって、容器前面の把手２５ａの片側を引き出したり押し込んだりしたような場合でも容器２５を軽く摺動させることができ、使い勝手が向上する。
【００５３】
また、この実施の形態では、上記ガタツキ規制部４１を容器摺動方向の前後二箇所に設けてあるから、容器２５の引出し長さ（摺動距離）をアップすることができるとともに、引き出した容器２５の安定性を確保し、かつ容器２５の出し入れもより軽いものとすることができる。
【００５４】
すなわち、ガタツキ規制部４１を構成する凸部と凹部溝との組み合わせは容器摺動範囲の略中央一箇所にだけ設けることも考えられるが、この場合、容器はガタツキ規制部を設けた容器摺動範囲の略中央部分までしか引き出すことができなくなる。
【００５５】
しかしながら、容器摺動方向の前後二箇所にガタツキ規制部４１を設けておけば、図１１（ａ）（ｂ）で示す後部に設けた容器側凸部４０がガイド側凹部溝３４の前端部分に達するまで引き出すことができ、引出し長さ（摺動距離）をアップすることができるのである。
【００５６】
また図１１（ｂ）の容器引出し途中の図からも理解できるように、容器２５が前端最終位置まで引き出されると、容器後部の容器側凸部４０とガイド側凹部溝３４との嵌合部分及びガイド部材３１前部のガイド側凸部３５と容器側凹部溝３９との嵌合部分が摺動方向で連なる形となる。つまりガタツキ規制部４１の前後幅が二つの凸部３５、４０の摺動方向の幅をプラスした大きなものとなり、前端最終位置まで引出した状態における容器２５のガタつき規制効果を高めることになる。よって、容器２５を最大引き出した時の左右ガタつきや傾きも確実に防止することができる。
【００５７】
更にまた、前記容器２５の出し入れ摺動範囲の全域において前記容器後部の容器側凸部４０とガイド側凹部溝３４との嵌合及びガイド部材３１前部に設けたガイド側凸部３５と容器側凹部溝３９との嵌合が維持され続けることになるので、容器２５の摺動が摺動範囲全域において安定し、容器２５が不安定になってガタつくことにより発生する摩擦力を大幅に軽減でき、容器２５の出し入れをさらに軽いものとすることができる。
【００５８】
すなわち、ガタツキ規制部４１が略中央一箇所の場合、その部分を支点にして容器２５が左右にガタつきやすくなるとともに当該部分での摺動摩擦力が大きなものとなる。したがって、容器２５の動きが不安定なものになり、出し入れのための操作力も重くなる。
【００５９】
しかしながら、ガタツキ規制部４１を前後二箇所に設けておけば、前記した如く容器２５の摺動範囲全域にわたって二箇所の凹凸嵌合で容器２５のガタつき防止を行うことができる。したがって、容器２５の摺動動作が安定し、容器動作が不安定なものとなって発生する摩擦力は軽減でき、容器２５の出し入れが摺動範囲全域においてより軽く行えるようになるのである。
【００６０】
また、前記ガタツキ規制部４１を構成する容器側凸部４０とガイド側凹部溝３４との嵌合組み合わせ及び容器側凹部溝３９とガイド側凸部３５との嵌合組み合わせを前後で反対向きにしてあるから、既述の通り容器２５の摺動範囲全域において凹凸の嵌り合いを常に二箇所確保でき、容器２５の摺動を安定させることができる。
【００６１】
すなわち、容器側凸部４０とガイド側凸部３５を容器２５側に設け、容器側凹部溝３９とガイド側凹部溝３４をともにガイド部材３１側に設けて凹凸の組み合わせが前後で同じ形となるようにしていると、容器２５を引き出していくにしたがって容器前部側の凸部は凹部溝の前端から離脱してしまうことになる。したがって、容器引出し途中から容器後部側の凸部と凹部溝の嵌り合いが一箇所のみとなってしまい、容器の摺動が不安定なものとなってしまう。
【００６２】
しかしながら。前記した如く後部側の凸部４０を容器２５側に、前部側の凸部３５をこれとは反対のガイド部材３１側に設けておけば、容器２５を引き出していっても図１１（ｂ）の途中経過の図からも理解できるように前後両凸部３５、４０と凹部溝３４、３９の嵌り合いは容器摺動範囲の前端最終位置まで維持されることになる。したがって、容器２５の摺動範囲全域において容器２５のガタツキを確実に防止し、その出し入れをより円滑
なものとすることができる。
【００６３】
また、この実施の形態では前記容器２５のガタつきを防止するガタツキ規制部４１は、容器２５とガイド部材３１との摺動面３２、３８に形成、つまり、容器２５の摺動案内構成を利用して容器２５のガタツキ規制をも行う構成としているから、容器２５の摺動支持とガタツキ防止を簡単な構成で実現することができる。
【００６４】
そして、前記ガタツキ規制部４１は容器両側部の片方、すなわち仕切板２２ａ側にのみ設けた構成としてあるから、ガタツキ規制部４１を両側部に設ける場合に比べさらに構成を簡素化できる。またこれと同時に、ガタツキ規制部４１を設けていない側の容器２５の側面と貯蔵室側壁面との間の隙間も確保でき、容器摺動の安定性を向上させることができる。
【００６５】
更に、この実施の形態の容器支持構成では、前記ガタツキ規制部４１と容器２５との摺動部分にローラー３３と滑動体４２を設け、前記ローラー３３と滑動体４２によって前記容器２５を出し入れ自在に支持しているので、容器２５とガイド部材３０，３１の互いの摺動面３２、３８の面接触による摺動に比べ容器出し入れ時の摺動抵抗を大幅に低減でき、より軽く容器２５の出し入れができるようになる。
【００６６】
なお、ローラー３３或いは滑動体４２のいずれか一方のみであってもよい。
【００６７】
また、前記容器２５は低温貯蔵室２３内に押し込まれていくうちにガイド部材３１の後端部に設けた滑動体４２が傾斜引き込み部３６の傾斜によって最終位置に引き込まれるようになる。したがって、容器２５は確実に低温貯蔵室２３の奥部まで移動し収納されるこことなる。また、上記滑動体４２の傾斜引き込み部３６への嵌り込みによって容器２５はその位置に停止保持され、不用意に前方へと移動するようなこともなくなって、信頼性の高いものとすることができる。
【００６８】
以上、本発明に係る冷蔵庫について、上記実施の形態を用いて説明してきたが、本発明は、これに限定されるものではなく、本発明の目的を達成する範囲内で種々変更可能であることは言うまでもない。
【００６９】
例えば上記実施の形態では容器２５を摺動自在に設けた低温貯蔵室２３として冷却用の冷気を供給するチルド室やパーシャル室等の低温貯蔵室の場合で説明したが、これは当該貯蔵室専用の冷気供給機構を有さない貯蔵室、例えば冷蔵室に設けられていて冷蔵室と略同じ温度に維持されるような貯蔵室であってもよいものである。
【００７０】
また、ガタツキ規制部４１は低温貯蔵室２３の片側だけに設けたものを例示して説明したが、これは両側部に設けてもよいものである。
【００７１】
このように今回開示された実施の形態はすべての点で例示であって制限的なものではないと考えるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００７２】
本発明は、容器の出し入れ性が向上し、使い勝手の良い冷蔵庫を提供することができる。よって、家庭用はもちろん業務用冷蔵庫やショーケース等多くの用途に幅広く適用することができる。
【符号の説明】
【００７３】
１  冷蔵庫本体
２  外箱
３  内箱（冷蔵庫本体内箱）
４  発泡断熱材
７  冷蔵室
１５  圧縮機
１６  冷却室
１７  冷気通路
１８  背面壁体
１９  冷却器
２０  冷却ファン
２１  棚板
２２  給水タンク設置室
２２ａ  仕切板
２３  低温貯蔵室（貯蔵室）
２４  棚板部材
２５  容器
２５ａ  把手（前面）
２６  ドア
３０、３１  ガイド部材
３２  摺動面
３３  ローラー
３４  ガイド側凹部溝（凹部溝）
３５  ガイド側凸部（凸部）
３６  傾斜引き込み部
３７  レール部材
３８  摺動面
３９  容器側凹部溝（凹部溝）
４０  容器側凸部（凸部）
４１  ガタツキ規制部
４２  滑動体
【図１】
0006554660.tif 000002
【図２】
0006554660.tif 000003
【図３】
0006554660.tif 000004
【図４】
0006554660.tif 000005
【図５】
0006554660.tif 000006
【図６】
0006554660.tif 000007
【図７】
0006554660.tif 000008
【図８】
0006554660.tif 000009
【図９】
0006554660.tif 000010
【図１０】
0006554660.tif 000011
【図１１】
0006554660.tif 000012
【図１２】
0006554660.tif 000013